(57)【特許請求の範囲】
【請求項１】
不活性ガスが充填された高圧ガス容器又は化学反応で不活性ガスを発生させる不活性ガス発生機器と、該高圧ガス容器又は不活性ガス発生機器に連結可能にし、ここから発生する不活性ガスが封入されて膨らむ不燃性バッグと、を具備し、火災現場へ持っていき、該不燃性バッグを膨らませることにより火災源へ空気が流入している搬入路を塞ぐようにすることを特徴とする持ち運び用の建築物の消火用バッグ装置。
【請求項２】
不活性ガスが充填された高圧ガス容器又は化学反応で不活性ガスを発生させる不活性ガス発生機器と、該高圧ガス容器又は不活性ガス発生機器に連結可能にし、ここから発生する不活性ガスが封入されて膨らむ不燃性バッグと、を具備する持ち運び用の建築物の消火用バッグ装置を、火災現場へ持っていき、次いで、不燃性バッグ内に不活性ガスを吹き込んで膨らませ、その後、膨らませた該不燃性バッグの形状を変形自在とし、この不燃性バッグで建家内の火災源に通じる通路を塞ぐようにし、フレッシュエアの火災源への流入を遮断して鎮火させることを特徴とする建築物の消火方法。
【発明の詳細な説明】
【０００１】
【発明の属する技術分野】
本発明は、ビル建築火災などの消火に役立つ建築物の消火方法及び建築物の消火用バッグ装置に関する。
【０００２】
【従来の技術】
ビル火災などで、燃え上がる火災源は必ず酸素を必要とし、酸素すなわち空気を断ち切れば火の勢いを鎮めることが可能になっている。
【０００３】
【発明が解決しようとする課題】
しかし、現実には、火災源に通じる廊下などの通路が主たる空気供給路になって、該通路を通ってのフレッシュエアの供給が火の手を増々大きくしている。ビル火災などのＴＶニュースで、窓等から火炎が吹き出し火気に勢いづかせている光景を見かけることがあるが、これは火のない廊下，ダクト等の通路をつたって火の手が舞い上がる部屋へ新たな空気（フレッシュエア）が流入していることに大きく起因している。
【０００４】
本発明は、上記問題点を解決するもので、燃えさかる火炎への空気供給路を断ち切り、消火，鎮静化に寄与する建築物の消火方法及び建築物の消火用バッグ装置を提供することを目的とする。
【０００５】
【課題を解決するための手段】
上記目的を達成すべく、請求項１に係る発明の要旨は、不活性ガスが充填された高圧ガス容器又は化学反応で不活性ガスを発生させる不活性ガス発生機器と、該高圧ガス容器又は不活性ガス発生機器に連結可能にし、ここから発生する不活性ガスが封入されて膨らむ不燃性バッグと、を具備し、火災現場へ持っていき、該不燃性バッグを膨らませることにより火災源へ空気が流入している搬入路を塞ぐようにすることを特徴とする持ち運び用の建築物の消火用バッグ装置にある。
また、請求項２に係る発明の要旨は、不活性ガスが充填された高圧ガス容器又は化学反応で不活性ガスを発生させる不活性ガス発生機器と、該高圧ガス容器又は不活性ガス発生機器に連結可能にし、ここから発生する不活性ガスが封入されて膨らむ不燃性バッグと、を具備する持ち運び用の建築物の消火用バッグ装置を、火災現場へ持っていき、次いで、不燃性バッグ内に不活性ガスを吹き込んで膨らませ、その後、膨らませた該不燃性バッグの形状を変形自在とし、この不燃性バッグで建家内の火災源に通じる通路を塞ぐようにし、フレッシュエアの火災源への流入を遮断して鎮火させることを特徴とする建築物の消火方法にある。
【０００６】
請求項１又は２の発明によれば、不燃性バッグを膨らまして建屋内の火災源に通じる通路を塞ぐことができるので、燃焼の三要素（可燃物，酸化剤，エネルギー）のうちの酸化剤たる空気の供給が抑えられ、火災源の火の勢いを容易に鎮めることができる。
【０００７】
【発明の実施の形態】
以下、本発明に係る建築物の消火方法及び建築物の消火用バッグ装置について詳述する。
【０００８】
（１）建築物の消火用バッグ装置
図１は本発明たる建築物の消火用バッグ装置（以下、単に「消火用バッグ」という。）の一実施形態で、消火用バッグは高圧ガス容器１と不燃性バッグ２とを具備する。
【０００９】
高圧ガス容器１は、不活性ガスが圧縮気体又は液化ガスとして充填された容器である。不活性ガスとは、化学的に酸化されない安定な物質をいい、例えば、窒素，二酸化炭素，アルゴンなどをいう。ここでは、不活性ガスとして二酸化炭素を用い、二酸化炭素は液化した炭酸ガスとして高圧ガス容器内に充填されている。二酸化炭素は圧力を加えると常温でも液化し、常温貯蔵に便利になっている。
高圧ガス容器１は、操作レバー４を握ると上端から不活性ガスが吹き出すが、通常、ピン５によってロック状態にある。使用時はピン５を外して操作レバー４を握ることとなる。ここでは、高圧ガス容器１として図１のようなボンベを用いている。
【００１０】
不燃性バッグ２は、シート状の不燃性材料で袋形状にしたものである。不燃性材料とするのは、火災源近くで不燃性バッグ２が使用されるからである。不燃性材料としては、例えば芳香族ポリアミド等の耐熱性繊維が挙げられる。ポリエステル繊維にリン化合物を共重合して燃え難くしたもの等でもよい。必要に応じ、不燃性バッグ２の表面にはアルミニウム粉末を混入した合成ゴムでコーティングされる。
不燃性バッグ２は、高圧ガス容器１に耐熱性ホース３を介して連結している。前記ピン５を外して操作レバー４を握ると、高圧ガス容器１から発生する不活性ガスが不燃性バッグ２に封入されて膨らむようになる。
尚、不使用時に不燃性バッグ２をコンパクトにして収納，搬送しやすいように、不燃性バッグ２とのホースつなぎ部分を高圧ガス容器１のバンドに係止させるようにしている（図１）。
【００１１】
不燃性バッグ２の袋の大きさは、持ち運びの便及び材料的制約をクリアすれば、より大きなものが好ましい。しかし、大きさにも一般的に限度があり、かくのごとき不燃性バッグ２は、実際の火災に遭遇した場合、不燃性バッグ２をいくつか用いて、不燃性バッグ２，２，…を膨らまし建屋内の火災源に通じる通路を塞ぐのが通常処理法となる。
【００１２】
本実施形態は、不活性ガスが充填された高圧ガス容器１を用いたが、これに代え、化学反応で不活性ガスを発生させる不活性ガス発生機器（図示せず）とすることもできる。具体的には、化学反応によって不活性な二酸化炭素等を発生させる不活性ガス発生機器を設けることとなる。
【００１３】
不活性ガス発生機器による不活性ガスの発生メカニズムは、例えば、二酸化炭素については、（１）ＣaＣＯ3→ＣaＯ＋ＣＯ2 、（２）ＣaＣＯ3 ＋２ＨＣｌ→ ＣaＣｌ2＋ＣＯ2＋Ｈ2Ｏ 、（３）ＮaＨＣＯ3＋ＨＣｌ→ＮaＣｌ＋Ｈ2Ｏ＋ＣＯ2 、（４）２ＮaＨＣＯ3 →Ｎa2ＣＯ3＋Ｈ2Ｏ＋ＣＯ2 等の化学反応に基づく。他の不活性ガスについても、説明を省略するが、その不活性ガスを発生させる化学反応が利用される。
【００１４】
（２）建築物の消火方法
次に、上記消火用バッグを使用した建築物の消火方法について詳述する。
建築物の消火方法は、まず、ビル等の火災現場に消火用バッグを搬入する。そして、燃え上がる火災源に通じる廊下，階段或いはダクト等を調査する。ホテルなどで、客室の窓等から勢いよく火の手が上がり燃焼している時は、上昇気流も激しく、廊下やダクトの通路をつたって、空気が火災源へ流入している現実がある。
火災源へ流入している空気の搬入路、例えば、図２のような廊下を確認したら、次に、そこへ消火用バッグを持っていく。図２，図３中、符号６は建屋内の火災源に通じる通路（ここでは廊下）、符号６１は床、符号６２は天井、符号６３は壁、符号６４は照明具を示す。
【００１５】
しかる後、消火用バッグからピン５を外し、不燃性バッグ２を膨らます。不燃性バッグ２をいくつか膨らませて火災源へ空気が流入している搬入路を塞いでしまう（図３）。そして、フレッシュエアの火災源への流入を遮断して鎮火させる。勿論、これと併用して、消防用ホース等による散水活動が通常行われる。
火災が存続するには、燃料になるもの、これを酸化する空気、反応を続けるための熱の三つが揃う必要があるが（燃焼の三要素）、ここでは空気を断ち切って火災を鎮火させる構成をとっている。
【００１６】
ところで、図３では三つの不燃性バッグ２を使用して廊下を塞いでいるが、不燃性バッグ２は完全に膨らみ張った状態にするのではなく、ある程度余裕をもって、変形自在な動きが取れるようになっている。不燃性バッグ２の形状に自由度をもたせることによって、いくつかの不燃性バッグ２が互いに密着可能になり、各種通路の形状，大きさに対応でき、その通路を塞ぐ密封シール度合が上がることになるからである。具体的には、不燃性バッグ２の容量約１０ｍ3 に対して８割程度に膨らまして、不燃性バッグ同士は勿論、周りの天井６２，壁６３等への当接面を多くしている。
また、廊下などで天井に照明具等の出っ張り部分がある場合は、ここを避けて不燃性バッグ２を膨らますのが好ましい。不燃性バッグ２によるより効果ある遮断が確保されるからである。
【００１７】
（３）効果
このように構成した建築物の消火方法及び建築物の消火用バッグによれば、火災源に通じる通路（空気供給路）を塞いで、火災源へのフレッシュエアの流入を遮断するので、燃焼条件としての酸化剤たる空気が断ち切られ、鎮火に向うことになる。
従って、火の勢いはおさまり、消防用ホース等を使った消火活動がスムーズに運び、火は早く消し止められるようになる。従来、マンション火災などで、大量の水を使った消火活動では、火災源のみならずその周辺住居も水浸しになる被害を蒙っていたが、斯る不具合も解消される。
また、急を要する場合などでは、何個かの消火バッグを炎の吹き出している窓に投げ込んで、窓を塞ぎ、火の元への空気供給を止めることも可能である。万一、不燃性バッグ２まで火の手が近づいて破れてしまっても、不燃性バッグ２は不燃性でしかも不活性ガスが充填されているため、不活性ガスによる消火ができる。不活性ガスであるため、人的にも安全である。
更に、火災時の死亡事故で一番多いのは、煙りにまかれて死ぬことだといわれているが、本発明によれば、火の元とそうでない所を遮断し、避難誘導の過程で、煙り等が侵入してくるのを抑えることができるので、煙りにまかれて命を落とすのを防ぐこともできる。
【００１８】
尚、本発明においては、前記実施形態に示すものに限られず、目的，用途に応じて本発明の範囲で種々変更できる。高圧ガス容器１，不燃性バッグ２，ホース３，操作レバー４等の大きさ，形状，材質，成分，個数等は用途に応じて適宜選定される。例えば、建築物の消火に際しては、前記実施形態のごとく消火バッグを三個用いずに一個としてもよいし、他の複数個とすることもできる。
【００１９】
【発明の効果】
以上のごとく、本発明に係る建築物の消火方法及び建築物の消火用バッグは、燃えさかる火炎への空気供給路を断ち切るので、火の勢いを鎮静化させることが簡単にでき、ビル火災などの消火活動に極めて有益となる。
【図面の簡単な説明】
【図１】  本発明に係る建築物の消火用バッグの一形態で、その全体斜視図である。
【図２】  火災現場に通じる廊下の斜視図である。
【図３】  図２の廊下を消火用バッグで塞いだ状態にした斜視図である。
【符号の説明】
１      高圧ガス容器
２      不燃性バッグ
６      通路
【図１】
0003768328.tif 000002
【図２】
0003768328.tif 000003
【図３】
0003768328.tif 000004